(57)【要約】 【課題】  通常時は通行の障害とならないようにコンパクトに収納可能であると共に、使用時には容易且つ確実に止水を行うことができる止水装置を提供する。【解決手段】  建造物の出入口を止水するための止水装置１であって、出入口を横断するように配置され連通孔を介して内部に気体を導入することにより倒伏状態から起立して出入口を封鎖するゴム製の袋状体７０と、倒伏状態の袋状体７０を水平に覆うように配置される水平板２０と、水平板２０に対して出入口の横断方向両側に略垂直に配置され袋状体７０を覆う一対の垂直板３０，４０とを備え、水平板２０は、袋状体７０の起立により袋状体７０の表面と接触して持ち上げられるように構成され、水平板２０と一対の垂直板３０，４０との間に中間板５０，６０を開閉可能に設ける。【選択図】  図２
2011220008.tif 000002
【特許請求の範囲】
【請求項１】
建造物の出入口を止水するための止水装置であって、
前記出入口を横断するように配置され、連通孔を介して内部に気体を導入することにより、倒伏状態から起立して前記出入口を封鎖するゴム製の袋状体と、
倒伏状態の前記袋状体を水平に覆うように配置される水平板と、
前記水平板に対して前記出入口の横断方向両側に略垂直に配置され、前記袋状体を覆う一対の垂直板とを備え、
前記水平板は、前記袋状体の起立により前記袋状体の表面と接触して持ち上げられるように構成され、
前記水平板と前記一対の垂直板との間に中間板を開閉可能に設けたことを特徴とする止水装置。
【請求項２】
前記袋状体は、起立時に前記水平板と接触する箇所に、前記袋状体よりも表面の摩擦抵抗が小さい保護体を備える請求項１に記載の止水装置。
【請求項３】
前記袋状体は、前記連通孔に装着されるフランジ状のガイド部材を内面側に備えており、
前記ガイド部材は、前記連通孔から径方向外方に向けて延びるガイド流路を備える請求項１または２に記載の止水装置。
【請求項４】
前記袋状体を倒伏状態で収容する凹部を有する枠体を更に備え、
前記水平板及び一対の垂直板は、前記枠体に回動自在に支持されており、
前記中間板は、前記水平板に回動自在に支持されている請求項１から３のいずれかに記載の止水装置。
【発明の詳細な説明】
【技術分野】
【０００１】
本発明は、建造物への水の浸入を防止するための止水装置に関する。
【背景技術】
【０００２】
地下鉄駅、地下駐車場、地下道、地下室、ビル、病院、老人ホームなどの建造物には、台風や集中豪雨による洪水等が発生した場合に、雨水が急激に浸入するおそれがある。従来はこの対策として土嚢等の積み上げを行っていたが、準備や作業に長時間を要することから、最近では水の浸入を防止するための装置が提案されている。
【０００３】
例えば、特許文献１に開示された雨水流入防止装置は、地下への降下路に形成した空室に雨水検知手段を設け、この雨水検知手段が雨水の流入を検知すると、止水装置が降下路を遮断するように構成されている。止水装置は、降下路の上方に配置された板状の止水体を備えており、モータの作動によりワイヤを介して止水体を昇降可能に構成されている。
【先行技術文献】
【特許文献】
【０００４】
【特許文献１】特開２００５−２８２１７２号公報
【発明の概要】
【発明が解決しようとする課題】
【０００５】
ところが、上記従来の雨水流入防止装置は、通常時に止水体を降下路の上方に常に配置しておく必要があるため、止水体が不意に降下しないための十分な安全対策が必要になる。また、止水時には止水体の自重による降下路との接触圧のみで止水を行うため、雨水の浸入を確実に防止できないおそれがあった。
【０００６】
一方、止水を確実に行うためには、止水体の下部を密着状態で保持する溝やシール構造を降下路に設ける必要があるため、これらが通常時に往来の妨げになり易いという問題がある。
【０００７】
そこで、本発明は、通常時は通行の障害とならないようにコンパクトに収納可能であると共に、使用時には容易且つ確実に止水を行うことができる止水装置の提供を目的とする。
【課題を解決するための手段】
【０００８】
本発明の前記目的は、建造物の出入口を止水するための止水装置であって、  前記出入口を横断するように配置され、連通孔を介して内部に気体を導入することにより、倒伏状態から起立して前記出入口を封鎖するゴム製の袋状体と、倒伏状態の前記袋状体を水平に覆うように配置される水平板と、前記水平板に対して前記出入口の横断方向両側に略垂直に配置され、前記袋状体を覆う一対の垂直板とを備え、前記水平板は、前記袋状体の起立により前記袋状体の表面と接触して持ち上げられるように構成され、前記水平板と前記一対の垂直板との間に中間板を開閉可能に設けたことを特徴とする止水装置により達成される。
【０００９】
この止水装置において、前記袋状体は、起立時に前記水平板と接触する箇所に、前記袋状体よりも表面の摩擦抵抗が小さい保護体を備えることが好ましい。
【００１０】
また、前記袋状体は、前記連通孔に装着されるフランジ状のガイド部材を内面側に備えることが可能であり、このガイド部材は、前記連通孔から径方向外方に向けて延びるガイド流路を備えることが好ましい。
【００１１】
また、前記袋状体を倒伏状態で収容する凹部を有する枠体を更に備え、前記水平板及び一対の垂直板は、前記枠体に回動自在に支持されており、前記中間板は、前記水平板に回動自在に支持されているように構成することができる。
【発明の効果】
【００１２】
本発明によれば、通常時は通行の障害とならないようにコンパクトに収納可能であると共に、使用時には容易且つ確実に止水を行うことができる止水装置を提供することができる。
【図面の簡単な説明】
【００１３】
【図１】本発明の一実施形態に係る止水装置の通常時の状態を示す斜視図である。
【図２】図１に示す止水装置の使用時の状態を示す斜視図である。
【図３】図１に示す止水装置の平面図である。
【図４】図３のＡ−Ａ部分断面図である。
【図５】図１に示す止水装置の要部を示す平面図である。
【図６】図５のＢ−Ｂ断面図である。
【図７】図５のＣ−Ｃ断面図である。
【図８】図１に示す止水装置の他の要部を示す平面図である。
【図９】図８のＤ−Ｄ断面図である。
【図１０】図１に示す止水装置の作動を説明するための要部断面図である。
【発明を実施するための形態】
【００１４】
以下、本発明の実施の形態について、添付図面を参照して説明する。図１は、本発明の一実施形態に係る止水装置の斜視図である。本実施形態の止水装置１は、例えば地下道、地下駐車場、地下鉄駅や、ビル、病院、ホテル、老人ホーム等の各種建造物の出入口に設置することが可能であり、図１に示す通常時の状態では、出入口を封鎖するゴム製の袋状体が枠体１０内に収納されて構成されている。
【００１５】
枠体１０は、矩形状の底板部１２と、底板部１２の長手方向両側から垂直に起立する２つの側板部１４，１６とを備えており、袋状体を収納する凹部が水平板２０、一対の垂直板３０，４０および一対の中間板５０，６０により覆われている。水平板２０は底板部１２の表面に沿って水平に配置されており、一対の中間板５０，６０が、水平板２０の長手方向両側に水平軸周りに回動可能に取り付けられている。また、一対の垂直板３０，４０は、２つの側板部１４，１６の対向面に、垂直軸周りに回動可能に取り付けられている。
【００１６】
枠体１０は、図１の手前側が建造物の外部となり、奥側が建造物の内部となるように設けられ、底板部１２の長手方向が建造物の出入口の横断方向（幅方向）に一致するように、出入口の全体にわたって配置されている。枠体１０のこのような配置により、歩行者や車両等は２つの側板部１４，１６間を通行することができる。建造物の新設時に本実施形態の止水装置１を設ける場合、底板部１２の段差が通行の障害とならないように、底板部１２の表面が前後と面一となるように構成することが好ましい。
【００１７】
止水装置１の使用時には、図１に矢印で示すように、落とし金具３２，４２を引き上げて一対の垂直板３０，４０を水平面に沿って１８０°回動させると共に、一対の中間板５０，６０を引き上げて垂直面に沿って１８０°回動させた後、図２に示すように、枠体１０の凹部１０ａ内に倒伏状態で収容されていた袋状体７０の内部に空気を導入する。これにより、袋状体７０が徐々に起立し、水平板２０が袋状体７０の表面との接触により持ち上げられる。袋状体２０は、両側が起立状態で２つの側板部１４，１６の各対向面に密着するため、２つの側板部１４，１６の間を封鎖することができ、完全止水により建造部内への水の浸入を確実に防止することができる。
【００１８】
図３は、図１に示す止水装置１の平面図である。水平板２０は、底板部１２の長手方向に沿って延びる矩形状の平板状部材であり、長手方向両側に一対の中間板５０，６０が配置されている。中間板５０，６０も、水平に配置された平板状部材であり、通常時の状態において水平板２０と一対の垂直板３０，４０との間に設けられている。各中間板５０，６０は、水平板２０の縁部にヒンジ２１を介して取り付けられており、把持部５２，６２を持って水平板２０の上面に重なるように回動させることで、水平板２０の長手方向両側において底板部１２の凹部を開放することができる。
【００１９】
図４は、図３のＡ−Ａ部分断面図であり、図４（ａ）が通常時の状態、図４（ｂ）が使用時の状態を示している。水平板２０は、凹部１０ａに面する内面側にケーシング２２を備えており、ケーシング２２内に断熱材２４が収容されている。また、水平板２０の内面側縁部には、垂直断面に沿って湾曲状に形成された挿通孔２６ａを有する連結部２６が、水平板２０の長手方向に沿って間隔をあけて複数設けられており、底板部１２の開口１２ｂに収容されている。底板部１２の下面側にはブラケット（図示せず）が突出しており、このブラケットには底板部１２の長手方向に沿って水平に延びるように支持バー１２ａが固定されている。支持バー１２ａは、挿通孔２６ａに挿通されており、水平板２０を回動可能に支持する。底板部１２の上面は、図４（ａ）に示すように、通常の状態において水平板２０の上面と略面一となるように、水平板２０の厚みの分だけ窪むように湾曲していることが好ましく、これによって歩行者等が水平板２０の端部Ｔで躓くおそれを防止することができる。水平板２０の端部Ｔと底板部１２の湾曲部１２ｃとの間にゴム材１２ｄを介在させることにより、底板部１２から水平板２０の全体を面一にすることができる。
【００２０】
袋状体の起立によって水平板２０が持ち上げられると、図４（ｂ）に示すように、支持バー１２ａが挿通孔２６ａの湾曲形状に沿って案内されるように相対移動するため、水平板２０は端部Ｔを回動中心として回動する。こうして、通行の邪魔になり易い底板部１２の中央部にヒンジなどを設けることなく、水平板２０を底板部１２に対してスムーズに回動させることができる。なお、図４においては、枠体１２に収容される袋状体の図示を省略している。
【００２１】
図５は、図３において水平板２０、一対の垂直板３０，４０および一対の中間板５０，６０を取り外した状態を示しており、図６および図７は、それぞれ図５のＢ−Ｂ断面図およびＣ−Ｃ断面図である。図７においては、開放状態の垂直板４０も併せて図示しており、垂直板４０の内面側には、水平板２０と同様にケーシング４２内に断熱材が収容されている。なお、図示していないが、中間板５０，６０の内面側にも、断熱材が設けられている。このように、水平板２０、一対の垂直板３０，４０および一対の中間板５０，６０の内面側全体に断熱材を設けることで、紫外線や高温による袋状体７０の劣化を防止することができる。
【００２２】
図６に示すように、枠体１０に形成された凹部１０ａは、一方の側板部１４から底板部１２を経て他方の側板部１６に連接するように形成されており、この連接方向に沿って袋状体７０が凹部１０ａ内に配置されている。袋状体７０は、図６に示す通常時の収納状態では内部の気体が略完全に排出されており、底板部１２に配置された水平部分と、側板部１４，１６に配置された垂直部分との間に、角部７０ｂを形成している。
【００２３】
袋状体７０は、例えば従来のゴム堰（ラバーダム）と同様の構成にすることができ、SBR、NR、BR、NBR、CR、EPDM等の一種以上からなるゴムシートを二つ折りにして、重なり合った端部同士を、図５および図７に示すようにプレート７１ａ，７１ｂを用いてボルト等で連結することにより袋状に構成され、一方の側板部１４から底板部１２を経て他方の側板部１６の全体にわたって凹部１０ａの底面に沿うように取り付けられている。なお、袋状体７０の折り返し方向の過剰な伸びを防止できるように、袋状体７０をゴム引布により構成してもよい。
【００２４】
袋状体７０の表面には、図５に示すように、起立時に水平板２０（ケーシング２２）と接触する部分（袋状体７０の上面における水平板２０の回動中心側）に、袋状体７０の長手方向に沿って保護体７６が設けられている。保護体７６は、袋状体７０よりも水平板２０との摩擦抵抗が小さい部材であり、例えば、袋状体７０と同じ材質で厚みが大きい部材、袋状体７０の材質よりも高硬度の部材などを例示することができる。
【００２５】
また、袋状体７０には、図５および図６に示すように、側板部１６の凹部１０ａに配置された高圧ボンベ等の気体供給源８０から、二点鎖線で示す流路８２を介して、底板部１２および２つの側板部１４，１６における合計３か所に形成された連通孔を介して気体を導入することができる。図７に示すように、気体供給源８０および袋状体７０の内圧は、それぞれボンベ圧力計８２および袋状体圧力計８４により計測することができ、気体供給源８０からの気体の供給を開始し、袋状体７０が起立状態になったことを袋状体圧力計８４の検出により確認した後、気体供給源８０のバルブ８１を閉じることにより、袋状体７０の起立状態を維持することができる。このように、気体供給源８０を側板部１６の凹部１０ａ内に配置することにより、袋状体７０の起立操作を垂直板４０の開放操作に連続して容易に行うことができるので、使用時の作業性を良好にすることができる。
【００２６】
袋状体７０を再びもとの倒伏状態に戻す場合には、気体供給源８０の近傍に設けられた排気バルブ８６を開放することにより、袋状体７０の内部の気体を排出することができる。袋状体７０は、図２に示す状態から水平板２０の自重により押圧されて倒伏し、水平板２０が水平になった後、一対の中間板５０，６０および一対の垂直板３０，４０をそれぞれ回動させることにより、止水装置１は、再び図１に示す通常時の状態となる。袋状体７０を確実に倒伏させるために、排気バルブ８６に真空ポンプ等を接続して残留気体を吸引するようにしてもよい。
【００２７】
図８および図９に示すように、袋状体７０の３か所に形成された各連通孔７０ａには、ガイド部材７２と袋状体７０との間にワッシャ等の緩衝部材７５が介在した状態で、袋状体７０の内面側からガイド部材７２の管状部７２ａが挿通されており、袋状体７０の外面側から管状部７２ａの外表面に挟持部材７３が螺合することにより、ガイド部材７２が袋状体７０に固定されている。
【００２８】
ガイド部材７２は、管状部７２ａから外方に拡がるフランジ状に形成されており、ガイド部材７２の表面には、連通孔７０ａと連通するように十字状に形成されたガイド流路７２ｂが形成されている。ガイド部材７２のこのような構成により、袋状体７０が倒伏状態でガイド部材７２の表面に密着しても、ガイド流路７２ｂを介して袋状体７０の内部と連通孔７０ａとの連通状態を維持することができる。したがって、袋状体７０を完全脱気の状態から内部に気体を確実に導入することができると共に、袋状体７０の脱気時にも連通孔７０ａが閉鎖するおそれがなく、袋状体７０を完全に脱気してコンパクトに収容することができる。ガイド流路７２ｂは、本実施形態では十字状の溝により形成しているが、連通孔７０ａから径方向外方に延びて袋状体７０の内部と連通可能であれば種々の形状であってもよく、溝以外に貫通孔としてもよい。
【００２９】
本実施形態の止水装置１によれば、通常時は袋状体１０が水平板２０、一対の垂直板３０，４０および一対の中間板５０，６０に覆われているため、袋状体１０が出入口の通行を妨げるおそれがない。そして、大雨や洪水等により建造物に水が浸入するおそれが生じた場合には、上述したように、一対の垂直板３０，４０および一対の中間板５０，６０を開放して、袋状体７０に気体を導入することにより、完全止水を行うことができる。特に、水平板２０と一対の垂直板３０，４０との間に中間板５０を開閉可能に設けたことにより、袋状体７０を完全脱気して袋状体７０の内面同士が密着するようにコンパクトに収容した場合でも、袋状体７０への気体導入時に、袋状体７０の水平部分と垂直部分との間の角部７０ｂ（図６参照）が水平板２０に押圧されて摩耗するおそれがなく、更には、この角部７０ｂが水平板２０に圧迫されないために袋状体７０の全体に気体を迅速に供給して起立させることができる。また、止水に際して電気を必要としないため、災害時においても確実に止水することができる。
【００３０】
また、本実施形態の止水装置１は、袋状体７０が起立時に水平板２０と接触する部分に、袋状体７０よりも表面の摩擦抵抗が小さい保護体７６を設けているので、図１０に示す使用時の状態から袋状体７０を脱気した場合に、袋状体７０の表面における水平板２０（ケーシング２２）との接触部Ｐを、矢示Ｅ方向にスムーズに移動させることができる。したがって、袋状体７０と水平板２０との接触部Ｐが固定されたまま水平板２０が閉じることによって袋状体７０に皺が発生するおそれがなく、袋状体７０を確実にコンパクトに収容することができる。袋状体７０と水平板２０との間に生じる摩擦抵抗をより小さくするため、水平板２０が袋状体７０と接触する部分に樹脂コーティングを施す等して平滑化処理を行ってもよい。保護体７６は、袋状体７０の起立の妨げとならないように、水平板２０と接触する可能性がある表面の一部のみに設けることが好ましい。
【００３１】
以上、本発明の一実施形態について詳述したが、本発明の具体的な態様は上記実施形態に限定されるものではない。例えば、本実施形態の中間板５０，６０は、水平板２０に回動自在に支持されているが、垂直板３０，４０に上下に回動自在に支持された構成であってもよい。また、中間板５０，６０を水平板２０や垂直板３０，４０とは分離して設け、中間板５０，６０の設置および取り外しによって、枠体１０の凹部１０ａを開閉するように構成することもできる。
【００３２】
また、本実施形態の止水装置１は、水平板２０、一対の垂直板３０，４０および一対の中間板５０，６０を枠体１０に取り付けてユニット化することにより、特に建造物の新設時における施工性を高めているが、既存の建造物の出入口に設置する場合には、必ずしも枠体１０を設ける必要はない。すなわち、出入口の床面および側面に凹部を形成し、この凹部に袋状体７０を倒伏状態で収容することにより、本実施形態の止水装置１と同様の構成にすることができ、同様の効果を奏することができる。
【符号の説明】
【００３３】
１  止水装置
１０  枠体
２０  水平板
３０，４０  垂直板
５０，６０  中間板
７０  袋状体
７０ａ  連通孔
７２  ガイド部材
７２ｂ  ガイド流路
７６  保護体
【図１】
2011220008.tif 000003
【図２】
2011220008.tif 000004
【図３】
2011220008.tif 000005
【図４】
2011220008.tif 000006
【図５】
2011220008.tif 000007
【図６】
2011220008.tif 000008
【図７】
2011220008.tif 000009
【図８】
2011220008.tif 000010
【図９】
2011220008.tif 000011
【図１０】
2011220008.tif 000012